(57)【要約】【課題】異なる発光角度の発光ダイオードの配列により、予定された光源を得る発光ダイオードモジュールの構造を提供する。【解決手段】発光ダイオードモジュールの構造は、多数個の発光ダイオードから構成され、各発光ダイオードの発光チップは、プリント基板上に予め成形されたキャリア部に設置する。そしてキャリア部の周辺縁には異なる電極の導電回路を設置し、金属線で発光チップと各導電回路を速結し、キャリア部内に蛍光粉層を埋め込み、蛍光粉層上にパッケージゴム体を設置する。各キャリア部の縁側は最上部に向かって傾斜し、傾斜角度の違い、もしくはパッケージゴム体の異なる高度での配置によって、各発光チップの発光角度が異なり、発光ダイオードモジュールが予定された光源を形成する。【選択図】図1
0003118702.tif 000002
【実用新案登録請求の範囲】
【請求項１】
発光チップがプリント基板上に予め相対して作られた凹形状のキャリア部内に設置された発光ダイオードモジュールの構造において、そのうち、各キャリア部の辺縁が最上部向きに斜めに延び、その傾斜角度の違いが各発光チップの発する光線の発光角度を変化させることを特徴とする発光ダイオードモジュールの構造。
【請求項２】
前記キャリア部は、その周辺縁のプリント基板に異なる電極の導電回路を設置し、金属線で発光チップの電極層と各導電回路を連結し、そしてキャリア部内に蛍光粉層を埋め込み、最後に蛍光粉層上にパッケージゴム体を設置することを特徴とする請求項１記載の発光ダイオードモジュールの構造。
【請求項３】
前記パッケージゴム体は、蛍光粉層上に異なる高度で配置することを特徴とする請求項1もしくは2記載の発光ダイオードモジュールの構造。
【請求項４】
前記キャリア部は、二個以上の異なる傾斜角度を具えることを特徴とする請求項1記載の発光ダイオードモジュールの構造。
【請求項５】
各発光チップは、プリント基板上に予め作られた凹形状のキャリア部内に設置し、且つそのキャリア部周辺縁のプリント基板に異なる電極の導電回路を設置し、金属線で発光チップの電極層と各導電回路を連結し、そしてキャリア部内に蛍光粉層を埋め込み、最後に蛍光粉層上にパッケージゴム体を設置する発光ダイオードモジュールの構造において、
蛍光粉層上に高度が同じで、湾曲率の異なる各パッケージゴム体は、パッケージゴム体の異なる湾曲立により、各発光チップから発する光線の角度が異なることを特徴とする発光ダイオードモジュールの構造。
【請求項６】
前記パッケージゴム体は、蛍光粉層上に異なる高度で配置することを特徴とする請求項5記載の発光ダイオードモジュールの構造。
【請求項７】
前記キャリア部は、高反射の反射層を具えることを特徴とする請求項5記載の発光ダイオードモジュールの構造。
【請求項８】
少なくとも底台を含み、そこに各光源のキャリアを定位し、
発光ダイオードモジュールを底台上に設置し、それは複数個が異なる発光角度の光源を形成し、発光ダイオードモジュールが予定された光源を形成することを特徴とする請求項1もしくは5記載の発光ダイオードモジュールの構造。
【請求項９】
前記発光ダイオードモジュールのパッケージゴム体は、蛍光粉層上に異なる高度で配置することを特徴とする請求項8記載の発光ダイオードモジュールの構造。
【請求項１０】
前記発光ダイオードモジュールのキャリア部は、高反射の反射層を具えることを特徴とする請求項8記載の発光ダイオードモジュールの構造。
【考案の詳細な説明】
【技術分野】
【０００１】
本考案は、発光ダイオードモジュールの構造に関するもので、異なる発光角度の発光ダイオードの配列により、予定された光源を得るものである。
【背景技術】
【０００２】
発光ダイオードは、体積が小さく、低消費電力、低熱及び寿命が長いことから、クリスマスライト、懐中電灯、車両信号灯、交通標識等が従来のタングステン電灯から代替されている。また、一般的な発光ダイオードの基本構造は、透明パソケージ体の内部に異なる極性の導電端子及びキャリア部が設置され、そのキャリア部箇所に発光チップが固定される。別に金属線によって発光チップの電極層と導電端子が連接され、各導電端子は透明のパッケージ体外部に伸び、電源接続点となる。
【０００３】
導電端子が通電すると、その発光チップから発生する光源により、発光効果が得られる。当然発光チップの周辺縁には蛍光材が設置され、発光チップから発する光源が蛍光材を通過すると、蛍光材の波長と結合し、予定された光色を呈する。関連製造過程、製造技術が改良され、発光ダイオードは、蛍光材の設置により、特定の光色効果を具えた発光部品となり、発光ダイオードの市場が広がっている。
【考案の開示】
【考案が解決しようとする課題】
【０００４】
解決しようとする問題点は、異なる発光角度の発光ダイオードの配列によって、予定された光源を形成し、この発光ダイオードモジュールを一般照明設備である、デスクライトや照明灯に応用することである。
【課題を解決するための手段】
【０００５】
本考案は、多数個の発光ダイオードから構成され、各発光ダイオードの発光チップは、プリント基板上に予め成形されたキャリア部に設置する。そしてキャリア部の周辺縁には異なる電極の導電回路を設置し、金属線で発光チップと各導電回路を連結し、キャリア部内に蛍光粉層を埋め込み、蛍光粉層上にパッケージゴム体を設置する。各キャリア部の縁側は最上部に向かって傾斜し、傾斜角度の違い、もしくはパッケージゴム体の異なる高度での配置によって、各発光チップの発光角度が異なり、発光ダイオードモジュールが予定された光源を形成することを最も主要な特徴とする。
【考案の効果】
【０００６】
本考案の発光ダイオードモジュールの構造は、発光ダイオードモジュールを一般照明設備である、デスクライトや照明灯に応用するという利点がある。
【考案を実施するための最良の形態】
【０００７】
以下、本考案の実施例について、図面を参照しながら説明する。
【実施例１】
【０００８】
図1に示すとおり、その発光ダイオードモジュールは、複数個の発光ダイオードから構成される。また発光ダイオードの構造は、プリント基板1上に予め複数個の凹形状キャリア部11が成形され、且つキャリア部11周辺縁のプリント基板1には異なる電極の導電回路(図未提示)が設置される。プリント基板1のキャリア部11に発光チップ2を設置し、その発光チップ2はチップ固定粘着材3でキャリア部11の底層に固定する。更に金属線4で発光チップ2の電極層21と各導電回路を連結し、キャリア部11内に蛍光粉を混ぜた蛍光粉層5を埋め込む。最後に蛍光粉層5上に透明のパッケージゴム体6を設置し、発光チップ2から発する光源が蛍光粉層5を通過する時、蛍光粉層5の波長と結合して予定された可視光を形成する。仮に白色に近い「擬似白色」を発生させたい場合には、青色発光チップで蛍光粉層内の黄色蛍光粉を励起混合するか、もしくは青色発光チップで蛍光粉層内の赤色蛍光粉及び緑色蛍光粉を励起混合し、赤、緑の二色と発光チップの青色光を結合すると、三原色混合光効果により、演出性の高い擬似白色が発生する。
【０００９】
本考案の重点は、各キャリア部11縁側は、最上部に向かって一定角度の傾斜が形成される。図2及び図3に示すとおり、この傾斜角度はそれぞれA、Bであり、且つA〈Bで、発光チソプ2が発する光線の発光角度を変化させる。即ちキャリア部11の縁側傾斜角度が小さいと、発光角度は大きい(図2参照)。反対に傾斜角度が大きいと、発光角度は小さい(図3参照)。傾斜角度の異なるキャリア部11がプリント基板1上に配置されることによって、図1の実施例が示すように、各キャリア部11には二個以上の異なる傾斜角度を具え、各発光チップが発する異なる発光角度の光線を調和光線にして予定された光源を呈する。
【００１０】
この他、パッケージゴム体は蛍光粉層上に異なる高度で配置し、同様に異なる発光角度を形成する。図4及び図5に示すとおり、このパッケージゴム体6の高度は、それぞれC、Dで、且つC〈Dであり、発光チップ2が発する光線の発光角度とは異なる。即ちパッケージゴム体6の高度が低いと、発光角度が大きくなり(図4参照)、反対にパッケージゴム体6の高度が高いと、発光角度が小さくなる(図5
参照)。
【実施例２】
【００１１】
高度が異なるパッケージゴム体6をプリント基板1上に配置し、図6に示すとおり、各発光チップを異なる発光角度の光線を発し、調和光線にして予定された光源を呈する。更にキャリア部内には高反射を具えた反射層があり(図未提示)、光源をより高める。当然、高度の異なるパッケージゴム体は傾斜角度の異なるキャリア部が配置され、同様に調和光線を得る。
【実施例３】
【００１２】
更にこのパッケージゴム体は蛍光粉層上で高度が同じで湾曲率が異なる配置でも同様に異なる発光角度を形成する。図7に示すとおり、このパッケージゴム体6の湾曲率は各々R1、R2、R3があり、且つR1>R2>R3である。また各発光チップを異なる発光角度の光線で発し、調和光線を形成し、予定された光源を呈する。また異なる湾曲率で配置したパッケージゴム体でも異なる高度を形成するか、もしくはキャリア部の異なる傾斜角度を設置しても異なる発光角度を形成し、調和光線の効果を得る。更にキャリア部内に高反射の反射層を設置すると、より光源が高まる。
【産業上の利用可能性】
【００１３】
上述の発光ダイオードモジュールは一般の照明設備7(例としてテーブルライト、照明灯等)に設置し、光源を提供する。図8に示すとおり、発光ダイオードモジュールは底台71上に固定し、同様に傾斜角度が異なるキャリア部の配置、湾曲率が異なるパッケージゴム体の配置、あるいは各々高度が異なるパッケージゴム体を配置し、各発光チップ1は異なる角度の光線を発し、調和光線を形成して予定の光源を呈す.
【図面の簡単な説明】
【００１４】
【図１】本考案第一実施例の構造指示図である。
【図２】本考案キャリア部縁側の傾斜角度が小さい構造指示図である。
【図３】本考案キャリア部縁側の傾斜角度が大きい構造指示図である。
【図４】本考案のパッケージゴム体の高度が低い構造指示図である。
【図５】本考案のパッケージゴム体の高度が高い構造指示図である。
【図６】本考案第二実施例の構造指示図である。
【図７】本考案第三実施例の構造指示図である。
【図８】本考案の照明設備の構造指示図である。
【符号の説明】
【００１５】
1  プリント基板
11  キャリア部
2  発光チップ
21  電極層
3  チップ固定粘着材
4  金属線
5  蛍光粉層
6  パッケージゴム体
7  照明設備
71  底台
A  傾斜角度
B  傾斜角度
C  高度
D  高度
Rl  湾曲率
R2  湾曲率
R3  湾曲率
【図１】
0003118702.tif 000003
【図２】
0003118702.tif 000004
【図３】
0003118702.tif 000005
【図４】
0003118702.tif 000006
【図５】
0003118702.tif 000007
【図６】
0003118702.tif 000008
【図７】
0003118702.tif 000009
【図８】
0003118702.tif 000010